(57)【要約】【課題】  移動手段を設けた場合であっても、床面から便器上面までの高さが高くなることを抑制できる移動式水洗便器を提供することにある。【解決手段】  本発明に係る移動式水洗便器は、腰掛便器と、腰掛便器の下流側に設けられ、腰掛便器からの汚物を粉砕する粉砕部と、腰掛便器と粉砕部を移動させる移動手段と、を有する移動式水洗便器であって、腰掛便器は壁掛け固定式便器であることを特徴とする。腰掛便器を壁掛け固定式便器とすることで、壁掛け固定式便器を固定させた際に、壁掛け固定式便器の下方は床面と接触していない状態であり、スペースが生まれる。そのスペースに移動手段を設けることで、床面から壁掛け固定式便器までの高さが高くなることを抑制することができる。【選択図】  図１
2018048486.tif 000002
【特許請求の範囲】
【請求項１】
腰掛便器と、
前記腰掛便器の下流側に設けられ、前記腰掛便器からの汚物を粉砕する粉砕部と、
前記腰掛便器と前記粉砕部を移動させる移動手段と、を有する移動式水洗便器であって、
前記腰掛便器は壁掛け固定式便器である
ことを特徴とする移動式水洗便器。
【請求項２】
前記移動手段は、水平方向に延びる横プレートと、垂直方向に伸びる縦プレートを有し、
前記壁掛け固定式便器は、後面と、後面の両端を繋ぐ側面と、
前記後面に設けられ、前記縦プレートと固定する固定部と、を有し、
前記壁掛け固定式便器が前記縦プレートに固定された状態において、前記横プレートは、前記壁掛け固定式便器の荷重を支持するための便器支持部を有しており、
前記壁掛け固定式便器は、前記便器支持部と当接することで荷重を支持される
ことを特徴とする請求項１に記載の移動式水洗便器。
【請求項３】
前記便器支持部は、垂直方向に移動することができる
ことを特徴とする請求項２に記載の移動式水洗便器。
【発明の詳細な説明】
【技術分野】
【０００１】
本発明は、床面上を移動可能な移動式水洗便器に関する。
【背景技術】
【０００２】
従来、便器は予め設計施工されたトイレ空間に設置されるものであって、そのトイレ空間の場所によって適切な排水管の勾配や口径等が定められ、汚物や尿を含む汚水を下水系統へと排出するように構成されていた。その一方で、トイレ空間以外の場所で用を足さなければならない高齢者や病人等（以下、使用者）に対応するため、移動式水洗便器が提案されている。
【０００３】
下記特許文献１に記載された移動式水洗便器では、給水管と排水管が接続される便器に移動手段を設け、トイレ空間以外の場所に移動式水洗便器を設置した際に便器を移動させることができる。さらに、移動式水洗便器を移動させ、移動可能エリアを越えようとする際に給水管および排水管が便器から外れてしまうことを防止する移動制限手段を有している。下記特許文献１は、移動式水洗便器を使用者が使用しない際に移動することができ、清掃性を向上させることができ、さらに、移動時の給水管および排水管が外れてしまうことを防止できる移動式水洗便器が提案されている。
【先行技術文献】
【特許文献】
【０００４】
【特許文献１】特開２０１４−５８８２４号公報
【発明の開示】
【発明が解決しようとする課題】
【０００５】
上記特許文献１に記載された移動式水洗便器は、移動式水洗便器を移動させる移動手段を例えば、トイレ空間の床面に載置し固定する便器（以下、床固定式便器）を設けた場合、床固定式便器の床面からの床固定式便器上面までの高さが高くなってしまう。
【０００６】
移動式水洗便器は、足腰の筋力が弱い方が使用するものであり、床面から床固定式便器上面までの高さが高くなってしまうと、体の重心が不安定となり、着座姿勢を保持しづらくなってしまう。
【０００７】
本発明はこのような課題に鑑みてなされたものであり、その目的は、移動手段を設けた場合であっても、床面から便器上面までの高さが高くなることを抑制できる移動式水洗便器を提供することにある。
【課題を解決するための手段】
【０００８】
上記課題を解決するために、本発明に係る移動式水洗便器は、腰掛便器と、腰掛便器の下流側に設けられ、腰掛便器からの汚物を粉砕する粉砕部と、腰掛便器と粉砕部を移動させる移動手段と、を有する移動式水洗便器であって、腰掛便器は壁掛け固定式便器であることを特徴とする。
【０００９】
第一の発明は、腰掛便器を壁掛け固定式便器とすることで、壁掛け固定式便器を固定させた際に、壁掛け固定式便器の下方は床面と接触していない状態であり、スペースが生まれる。そのスペースに移動手段を設けることで、床面から壁掛け固定式便器までの高さが高くなることを抑制することができる。床面から壁掛け固定式便器までの高さが高くなることを抑制することで、使用者の重心が不安定となることを防止し、使用者は着座姿勢を保持しやすくなる。
【００１０】
第二の発明の移動式水洗便器は、移動手段は、水平方向に延びる横プレートと、垂直方向に伸びる縦プレートを有し、壁掛け固定式便器は、後面と、後面の両端を繋ぐ側面と、後面に設けられ、縦プレートと固定する固定部と、を有し、壁掛け固定式便器が縦プレートに固定された状態において、横プレートは、壁掛け固定式便器の荷重を支持するための便器支持部を有しており、壁掛け固定式便器は、前記便器支持部と当接することで荷重を支持されることを特徴とする。
【００１１】
第二の発明の構成とすることで、縦プレートのみで壁掛け固定式便器を固定しようとすると、壁掛け固定式便器の重さと使用者が着座した際の重さを支えるために強度が必要となり、縦プレートの厚さを厚くする必要があるが、縦プレートには、壁掛け固定式便器を固定させるのみとし、壁掛け固定式便器の重さおよび壁掛け固定式便器に加わる荷重の大半を便器支持部で支持する。このようにすることで、縦プレートの強度を低くすることができる。したがって、縦プレートの厚さを薄くすることができ、軽量化を図ることができ、移動式水洗便器全体の重さを軽くすることができるため、移動性が向上する。
【００１２】
第三の発明の便器支持部は、垂直方向に移動することができることを特徴とする。
【００１３】
第三の発明の構成とすることで、壁掛け固定式便器を陶器で形成する場合、壁掛け固定式便器の製造工程で大きさが縮小し、その縮小の度合いは個々で異なるが、縮小の度合いが異なる場合であっても、便器支持部が垂直方向に移動することができるため、壁掛け固定式便器と便器支持部を接触させることができ、壁掛け固定式便器の重さや荷重を支持することができる。
【発明の効果】
【００１４】
本発明によれば、移動手段を設けた場合であっても、床面から便器上面までの高さが高くなることを抑制できる移動式水洗便器を提供することができる。
【図面の簡単な説明】
【００１５】
【図１】本発明の実施形態に係る移動式水洗便器の外観を示す図である。
【図２】本発明の実施形態に係る移動式水洗便器の構造を示す断面図である。
【図３】本発明の実施形態に係る壁掛け固定式便器を示す図である。
【図４】本発明の実施形態に係る壁掛け固定式便器を固定する固定フレームを示す図である。
【図５】本発明の実施形態に係る移動式水洗便器の移動可能状態と使用状態を示す図である。
【発明を実施するための形態】
【００１６】
以下、添付図面を参照しながら本発明の実施形態について説明する。説明の理解を容易にするため、各図面において同一の構成要素に対しては可能な限り同一の符号を付して、重複する説明は省略する。
【００１７】
まず、本発明の実施形態に係る移動式水洗便器について図１を参照しながら説明する。図１は、本発明の実施形態に係る移動式水洗便器の外観を示す図である。
【００１８】
図１に示すように、移動式水洗便器１は、住宅の床面Ｆ（図２参照）上に設置される。移動式水洗便器１は、壁掛け固定式便器２（図２参照）と、便座３と、手すり４と、前カバー５と、後カバー６と、操作部７と、給水管８と、排水管９と、を備える。
ここで、壁掛け固定式便器２とは、移動式ではない場合（例えばトイレ室等に便器が固定される場合）において、床面から垂直に形成された壁面に固定される便器であり、床面に直接接触しない位置、つまり床面から所定距離上方に離れた位置に設けられる便器である。
【００１９】
なお、以下では、図１に示すように、使用者が移動式水洗便器１に着座した状態において、使用者の前方側を前側とし、その反対側を後側とする。また使用者の左手側を左側とし、その反対側を右側とする。また、重力方向及びその反対方向を下側及び上側とする。
【００２０】
移動式水洗便器１は、使用者が排泄した汚物を壁掛け固定式便器２のボウル１１で受け止めた後、排水管９に排出する。排水管９は、一端が移動式水洗便器１に接続され、他端側は下水管（図示しない）に連通している。
【００２１】
便座３は、使用者が着座するものであり、壁掛け固定式便器２の上方に載置され、楕円形状でかつ中央には開口を有する。
【００２２】
手すり４は、便座３の左右両側に設けられ、板状に形成され、前後方向に延在するように設置される。
【００２３】
前カバー５は、壁掛け固定式便器２の前方側を囲うカバー体であり、合成樹脂で形成される。後カバー６は、前カバー５の後方側に設けられ、タンク（詳細は後述する）や粉砕部（詳細は後述する）を囲うカバー体であり、合成樹脂で形成される。
【００２４】
操作部７は、給水管８からの水を壁掛け固定式便器２に供給を開始するものであり、操作部７が操作されると、給水管８からの水の供給を開始する。
【００２５】
次に、図２を参照しながら移動式水洗便器１の構成について説明する。図２は、本発明の実施形態に係る移動式水洗便器１の構造を示す断面図である。
【００２６】
図２に示すように、移動式水洗便器１は、さらにタンク１０と粉砕部１２とを備える。タンク１０は、給水管８に接続され、給水源からの水を貯留する。粉砕部１２は、壁掛け固定式便器２の下流側に設けられ、粉砕部１２に流入した汚物を粉砕する。
【００２７】
使用者によって操作部７（図１参照）が操作されると、タンク１０内の水が壁掛け固定式便器２に供給される。その後、壁掛け固定式便器２内部に存在する汚物と水とが粉砕部１２に入流する。汚物の水が粉砕部１２に流入すると、粉砕部１２は汚物を粉砕する。粉砕部１２によって粉砕された汚物は、排水管９を介して下水管（図示しない）に排出される。
【００２８】
次に、図３を参照しながら、壁掛け固定式便器２について説明する。図３は、本発明に係る壁掛け固定式便器２を示す図である。
【００２９】
図３（ａ）は、壁掛け固定式便器２の斜視図であり、図３（ａ）に示すように、ボウル１１と、壁掛け固定式便器２の外周を形成し、ボウル１１の後方側の外周を形成する後面２０と、後面２０の両端を繋ぐ側面２１と、壁掛け固定式便器２の上方を形成する上面２２と、壁掛け固定式便器２の下方を形成する底面２３とを有する。
【００３０】
図３（ｂ）は、壁掛け固定式便器２の後面２０を示す図であり、図３（ｂ）に示すように、後面２０は、壁掛け固定式便器２を固定するための穴である固定部２４を有する。
【００３１】
図３に示すような壁掛け固定式便器２は、トイレ空間（図示しない）で使用される壁掛け固定式便器２を移動式水洗便器１に利用することも好適である。トイレ空間（図示しない）で使用される壁掛け固定式便器２を移動式水洗便器１に利用することで、移動式水洗便器１専用の壁掛け固定式便器２を製造する必要がなく、コストを下げることができる。
【００３２】
次に、図４を参照しながら、壁掛け固定式便器２を固定する固定フレーム３０について説明する。図４は、本発明の実施形態に係る壁掛け固定式便器２を固定する固定フレーム３０を示す図である。
【００３３】
図４に示すように、壁掛け固定式便器２を固定する固定フレーム３０は、前後方向に延伸する横フレーム３１と、横フレーム３１の後方側で上下方向に延伸する縦フレーム３２とを備える。縦フレーム３２は、横フレーム３１の後方側で、横フレーム３１と接続される。固定フレーム３０を側面側からみると、縦フレーム３２と横フレーム３１とでＬ字形状となるように形成される。横フレーム３１の前方側には、床面と接触する固定フレーム足３４を有する。
【００３４】
固定フレーム３０には、移動式水洗便器１を移動させるための移動手段４０が設けられる。移動手段４０は、キャスターであり、固定フレーム３０の前方側と後方側にそれぞれ設けられる。後方側に設けられる移動手段４０は、左右両側にそれぞれ設けられる。前方側に設けられる移動手段４０は、移動手段４０を上下方向に移動させる移動操作部４１を有する。移動操作部４１を使用者が操作することで、移動式水洗便器２を移動可能とする移動可能状態と、使用者が排泄行為を行う使用状態とを変更可能とする。
【００３５】
縦フレーム３２は、壁掛け固定式便器２を縦フレーム３２に固定するためのフレーム固定部３３を有する。壁掛け固定式便器２に設けられる固定部２４とフレーム固定部３３とをネジ等で連結することで、壁掛け固定式便器２は、縦フレーム３２に固定される。
【００３６】
固定フレーム３０は、壁掛け固定式便器２を支持する便器支持部３５を有する。便器支持部３５は、固定フレーム３３に設けられ、壁掛け固定式便器２の底面２３と当接する。
【００３７】
縦フレーム３２のみで壁掛け固定式便器２を固定しようとすると、壁掛け固定式便器２の重さと使用者が着座した際の重さを支えるために強度が必要となり、縦フレーム３２の厚さを厚くする必要があるが、縦フレーム３２には、壁掛け固定式便器２を固定させるのみとし、壁掛け固定式便器２の重さおよび壁掛け固定式便器２に加わる荷重の大半を便器支持部３５で支持する。このようにすることで、縦フレーム３２の強度を低くすることができる。したがって、縦フレーム３２の厚さを薄くすることができ、軽量化を図ることができ、移動式水洗便器１全体の重さを軽くすることができる。
【００３８】
便器支持部３５は、壁掛け固定式便器２に接触する接触部３６と、接触部３６の高さを調整する高さ調整部３７を有している。高さ調整部３７は、ネジ山が設けられており、接触部３６を回転させることで、接触部３６の高さを変更することができるように構成されている。
【００３９】
壁掛け固定式便器２を陶器で形成する場合、壁掛け固定式便器２の製造工程で大きさが縮小し、その縮小の度合いは個々で異なるが、縮小の度合いが異なる場合であっても、便器支持部３５が垂直方向に移動することができるため、壁掛け固定式便器２と便器支持部３５の接触部３６を接触させることができ、壁掛け固定式便器２の重さや荷重を支持することができる。
【００４０】
次に、図５を参照しながら、移動式水洗便器１の移動可能状態と使用状態を説明する。図５は、本発明の実施形態に係る移動式水洗便器１の移動可能状態と使用状態を示す図である。
【００４１】
図５（ａ）は、使用者が排泄行為を行う使用状態を示す図であり、図５（ａ）に示すように、使用状態において、前方側の移動手段４０は、固定フレーム足３４よりも上方に位置し、床面に接触していない状態である。前方側の移動手段４０が床面に接触していないため、移動式水洗便器１は移動することができず、安定した状態を維持することができる。
【００４２】
図５（ｂ）は、使用者が移動式水洗便器１を移動させる状態を示す図であり、図５（ｂ）に示すように、前方側の移動手段４０は、固定フレーム足３４よりも下方に位置し、床面に接触している状態である。前方側の移動手段４０が床面に接触しているため、移動式水洗便器１を移動させることができる。移動手段４０は、移動操作部４１（図４参照）が操作されることによって、使用状態の位置と移動可能状態の位置とに移動する。
【００４３】
手すり４が設けられる移動式水洗便器１を例に挙げて説明したが、必ずしも手すり４を要することはなく、手すり４の有無については適宜選択することが可能である。
【００４４】
移動手段４０の一例としてキャスターの例を挙げて説明したが、移動式水洗便器１を移動させることができればよく、移動手段４０がキャスターであることは要しない。
【００４５】
さらに、移動手段４０として後方側に２つのキャスターを、前方側に１つのキャスターを設ける例を挙げて説明したが、キャスターの配置は適宜変更してもよい。
【００４６】
移動可能状態と使用状態とを切り替えることができる移動操作部４１を前方側の移動手段４０に設ける例について説明したが、後方側の移動手段４０に設けてもよい。
【００４７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００４８】
１          移動式水洗便器
２          壁掛け固定式便器
３          便座
４          手すり
５          前カバー
６          後カバー
７          操作部
８          給水管
９          排水管
１０        タンク
１１        ボウル
１２        粉砕部
２０        後面
２１        側面
２２        上面
２３        底面
２４        固定部
３０        固定フレーム
３１        横フレーム
３２        縦フレーム
３３        フレーム固定部
３４        固定フレーム足
３５        便器支持部
４０        移動手段
４１        移動操作部
Ｆ          床面
【図１】
2018048486.tif 000003
【図２】
2018048486.tif 000004
【図３】
2018048486.tif 000005
【図４】
2018048486.tif 000006
【図５】
2018048486.tif 000007